(57)【要約】【課題】パチンコ遊技盤を運搬するための専用のプラスチック製包装容器を提供し、パチンコ遊技盤を安全に低コストで運搬できるようにする。【解決手段】開口縁に凸条４と凹溝５とを点対称位置に形成し、内部側面または底面に係合溝１２を形成してなるプラスチック製の包装容器１であって、パチンコ遊技盤３０の側縁を前記係合溝に差し込むことで該パチンコ遊技盤の半部を該包装容器内に収容し、これと同形状の包装容器１’を該パチンコ遊技盤の半部に被せることで両包装容器の凸条と凹溝とを互いに嵌合させるとともに該パチンコ遊技盤の側縁を該包装容器の係合溝に差し込むことにより、該パチンコ遊技盤が両包装容器１，１’内にて起立状態に支持されるようにした。【選択図】　図５
2004097641.tif 000002
【特許請求の範囲】
【請求項１】
開口縁に凸条と凹溝とを点対称位置に形成し、内部側面又は底面に係合溝を形成してなるプラスチック製の包装容器であって、パチンコ遊技盤の側縁を前記係合溝に差し込むことで該パチンコ遊技盤の半部を該包装容器内に収容し、これと同形状の包装容器を該パチンコ遊技盤の半部に被せることで両包装容器の凸条と凹溝とを互いに嵌合させるとともに該パチンコ遊技盤の側縁を該包装容器の係合溝に差し込むことにより、該パチンコ遊技盤が両包装容器内にて起立状態に支持されるようにしたことを特徴とするパチンコ遊技盤運搬用包装容器。
【請求項２】
包装容器は底壁の４辺に側壁が上方に向けて僅かに外広がりなるように形成されたものである請求項１に記載のパチンコ遊技盤運搬用包装容器。
【請求項３】
積載時ズレ止め用の凸起と凹窪とを包装容器の底壁外面の点対称位置に形成した請求項１または２に記載のパチンコ遊技盤運搬用包装容器。
【請求項４】
２枚のパチンコ遊技盤を該包装容器内にて起立状態で向かい合わせに支持するようにした請求項１〜３に記載のパチンコ遊技盤運搬用包装容器。
【請求項５】
包装容器どうしの掛止手段を具備してなる請求項１〜４に記載のパチンコ遊技盤運搬用包装容器。
【請求項６】
パチンコ遊技盤の側縁が差し込まれる係合溝又は底面に緩衝材を着脱自在に設けた請求項１〜５に記載のパチンコ遊技盤運搬用包装容器。
【請求項７】
包装容器にブロックを着脱自在に設けることで係合溝が形成されるようにした請求項１〜６に記載のパチンコ遊技盤運搬用包装容器。
【発明の詳細な説明】
【０００１】
【発明の属する技術分野】
本発明は、パチンコ機の遊技盤を運搬するために包装するプラスチック製の容器に関するものである。
【０００２】
【従来の技術】
パチンコ機の遊技盤は、周知のように所定の大きさの合板の前面に釘，入賞口等が固着され、背面には電子制御回路を内蔵する基板ボックス等が設けられたもので、多くの精密部品の集合体であって衝撃に弱いために、従来これを運搬するにあたっては、遊技盤をダンボールの仕切や発泡プラスチック等の緩衝材によって厚く包囲したうえでダンボール箱に容れ、振動等が極力加わらないようにしていた（例えば、特許文献１参照。）。
【０００３】
【特許文献１】
特開２００１−１０４６３１号公報
【０００４】
【発明が解決しようとする課題】
しかしながら上記従来の包装では、緩衝材等が使い捨てとなって資源の無駄を招くとともにコストも掛かるという問題があった。
【０００５】
そこで本発明は、パチンコ遊技盤を運搬するための専用のプラスチック製包装容器を提供し、遊技盤を安全に低コストで運搬できるようにするものである。
【０００６】
【課題を解決するための手段】
そのために本発明に係るパチンコ遊技盤運搬用包装容器は、開口縁に凸条と凹溝とを点対称位置に形成し、内部側面又は底面に係合溝を形成してなるプラスチック製の包装容器であって、パチンコ遊技盤の側縁を前記係合溝に差し込むことで該パチンコ遊技盤の半部を該包装容器内に収容し、これと同形状の包装容器を該パチンコ遊技盤の半部に被せることで両包装容器の凸条と凹溝とを互いに嵌合させるとともに該パチンコ遊技盤の側縁を該包装容器の係合溝に差し込むことにより、該パチンコ遊技盤が両包装容器内にて起立状態に支持されるようにしたことを特徴とする。
また、本発明は上記運搬用包装容器において、包装容器は底壁の４辺に側壁が上方に向けて僅かに外広がりなるように形成されたものであることを特徴とする。
また、本発明は上記運搬用包装容器において、積載時ズレ止め用の凸起と凹窪とを包装容器の底壁外面の点対称位置に形成したことを特徴とする。
また、本発明は上記運搬用包装容器において、２枚のパチンコ遊技盤を該包装容器内にて起立状態で向かい合わせに支持するようにしたことを特徴とする。
また、本発明は上記運搬用包装容器において、包装容器どうしの掛止手段を具備してなることを特徴とする。
また、本発明は上記運搬用包装容器において、パチンコ遊技盤の側縁が差し込まれる係合溝又は底面に緩衝材を着脱自在に設けたことを特徴とする。
また、本発明は上記運搬用包装容器において、包装容器にブロックを着脱自在に設けることで係合溝が形成されるようにしたことを特徴とする。
【０００７】
【発明の実施の形態】
次に図面に従い本発明の実施の形態を説明する。図１は本発明に係るパチンコ遊技盤の運搬用包装容器の斜視図、図２はそのＡ−Ａ線断面図、図３はＢ−Ｂ線断面図、図４は平面図である。この包装容器１は、底壁２の４辺に側壁３ａ〜３ｄが上方に向けて僅かに外広がりなるようにプラスチックの射出成形により一体に形成されたもので、その内側の深さ寸法はパチンコ遊技盤の高さ寸法の約半分である２４０ｍｍに設定される。そして包装容器１の開口縁の半周に凸条４が形成され、他の半周には該凸条より僅かに広幅なる凹溝５を該開口縁上に平行に延壁５’を形成することにより形成し、該凸条４の凸形状と該凹溝５の凹形状とは合致する寸法としている。なお、凸条４が形成された部分と凹溝５が形成された部分との境界は凸条４の両側底面部から凹溝５の両側上面部にわたって連続する４５度の傾斜縁６が形成されている。そして凸条４の上面と凹溝５の底面とは同一高さ水準にて連続している。
【０００８】
また、７は側壁３ａ〜３ｄの外周面の上半部を囲繞するように一体に形成された複数の縦リブ８と横リブ９ａ〜９ｄとからなる補強リブで、該横リブ９ａ〜９ｄの内で最下部に形成された横リブ９ｃ，９ｄは、該容器の上記傾斜縁６の真下位置にて同角度に傾斜状に形成させた斜面部１０によって連続し、該斜面部を境として前記凹溝５が形成された半周は前記凸条４が形成された半周よりも該凸条４の高さ分だけ高所に形成されている。
【０００９】
また、包装容器１の内部底面の両側縁にＬ字状の内方突出部１１を適宜間隔を離して形成することにより幅２０ｍｍ程の係合溝１２を夫々２条形成する。なお、１１’は該内方突出部１１を形成するに際して肉厚を均等にするために外面に必然的に形成される成形凹部である。また、１３は該係合溝１２の底部に貼付することで端部１４が上方に弾性的に突出するように設けられた板バネからなる緩衝材である。
【００１０】
また、底壁２の外面の点対称位置に積載時ズレ止め用の凸起１５と凹窪１６を形成している。なお、該凹窪１６は四角柱状の凸起１５が遊嵌し得るように底壁２の外面に四角状枠１７を突設することにより形成される。また、１５’，１６’は該凸起１５と凹窪１６，四角状枠１７を形成するに際して該底壁２の肉厚を均等にするために該底壁２の内面に形成される成形凹部と成形凸部である。
【００１１】
また、１８は側壁３ｂの外面に突設された一対の軸受片で、該軸受片には下方に開口する切欠孔１９が形成されている。また、２０は該軸受片の少し下方に突設された孔明状の薄板片である。２１は前記凹溝５が形成された部分の下面端縁に突設された小突条である。
【００１２】
しかして、パチンコ遊技盤３０は、周知のように、厚さ２０ｍｍ程のベニヤ板の前面に多数本に釘，発射レール等が固着され、背面には電子制御回路基板が入ったプラスチックボックス等を止着してなるもので、該パチンコ遊技盤の下部両側縁を前記係合溝１２に差し込むことで図５に示したように該パチンコ遊技盤の下半部を該包装容器１内に収容する。なお、該パチンコ遊技盤３０は２枚を一組とし該包装容器内にて起立状態で向かい合わせに支持する。そして該包装容器１と同形状の包装容器１’を該パチンコ遊技盤の上半部に被せる。そのとき凸条４と凹溝５とは開口縁に半周ずつ形成されていることから互いの凸条４を相対する凹溝５中に嵌合させることで横ズレを防ぐことができるとともに、該パチンコ遊技盤３０の上部両側縁を該包装容器１’の係合溝１２に差し込むことにより、図６に示したように該パチンコ遊技盤３０を両包装容器１，１’内にて起立状態で支持することができる。
【００１３】
また図７にも示したように、２２は基端部に支軸２３が設けられた摘子板２４と、該摘子板に連結軸２５を介して回転自在に連結されたフック板２６とからなる掛止手段たる周知のバックルで、該支軸２３を前記軸受片１８の切欠孔１９に嵌着することで、該摘子板は回転自在に取り付けられ、該摘子板に開設されたスリット孔２８から前記薄板片２０が出没し得るようになる。そして、フック板２６の先端を前記小突条２１に係合し該摘子板２４を側壁３ｂの外面に重合させることで両包装容器１，１’をどうしを掛止することができ、そのときスリット孔２８から突出した薄板片２０の孔にワイヤ２９を通してリング状に止着することにより該ワイヤ２９を切らない限り開放が困難となり封緘することができる。なお、前記緩衝材１３は弾性復元によってパチンコ遊技盤３０の上下端面と係合溝１２内面との隙間を埋めることで運送中の振動による該パチンコ遊技盤のガタツキをなくす。
【００１４】
そして、上記のように両包装容器１，１’内にパチンコ遊技盤３０を収容した状態にてこれを多段に積み重ねることができ、その際、前記凸起１５と凹窪１６とは点対称位置に形成されているので、下段の容器の凹窪１６に上段の容器の凸起１５が遊嵌し横ズレが防止される。
【００１５】
このため、パチンコ遊技盤３０は両包装容器１，１’の内面に接触することなく該パチンコ遊技盤に取り付けられている多数の精密部品を衝撃から保護することができ緩衝材が無くとも輸送中の振動による破損を効果的に防ぐことができる。
【００１６】
また、使用後に該包装容器１，１’を返送するに際しては図８に示したように互いに重ね合わせ（ネスティング）することで体積が縮小されるので、輸送コストを軽減できる。そのとき下部の包装容器の凸条４の上端面および延壁５’の上端面に上部の包装容器の横リブ９ｃ，９ｄが乗架することで、重ね合わせ長が一定に維持される。
【００１７】
なお上記実施形態では、凸条４と凹溝５とを包装容器１の開口縁に夫々半周ずつ形成したが、凸条４と凹溝５とは開口縁に互いに点対称位置となるように形成することにより上記のような互いの嵌合が可能となる。従って、その実施形態は上記形状，配置に限定されるものでない。また、積載時ズレ止め用の凸起１５，凹窪１６についても上記形状，配置に限定されるものでないことは言うまでもない。
【００１８】
また上記実施形態では、板バネからなる緩衝材１３を設けたが、軟質プラスチック（例えば、ＥＶＥ，エラストマー）製又は合成ゴム（ＳＢＲ）製等の緩衝材を使用することもできる。そしてこのような緩衝材をパチンコ遊技盤の側縁が差し込まれる係合溝又は底面に着脱自在に設け、その緩衝材の厚さにより調節することで、サイズが若干異なるパチンコ遊技盤でもガタツキなく運送することができる。
【００１９】
また上記実施形態では、３つの内方突出部１１を同じ高さに形成したが、例えば図９に示したように真中の内方突出部１１ａを両側の内方突出部１１ｂよりも少し低く形成すればパチンコ遊技盤３０を係合溝１２に差し込み易くできる。なお、パチンコ遊技盤３０は概して裏側に重心があることから両側の内方突出部１１ｂを高くすることでより倒れ難くでき、その破損，損傷が防止される。なおこのことは、真中の内方突出部１１ａを高く形成し両側の内方突出部１１ｂを低く形成すること、および３つの内方突出部１１を同じ高さに形成することを否定するものではない。
【００２０】
また、図１０に示したように、ゴム等の弾性体からなる弾性チップ３１を該包装容器の底壁に装着することで緩衝材となるようにしてもよい。なお、このような緩衝材は該包装容器の側壁に設けることもできる。
【００２１】
また上記実施形態にて封緘用として止着したワイヤ２９にバーコードを付帯させることにより、万一切断され正規品でないワイヤで止着されても直ぐに判別できるようにすることができる。また、このバーコードにより例えば内容物，搬送先，製造者，管理番号等の情報を管理することも可能である。さらには、ワイヤ２９に紫外線等で照らすと文字が判別できるような隠し文字を予め印字しておくことにより不正な開放を確実に確認できるようにすることもできる。
【００２２】
また、包装容器１を成形するプラスチックとしては、帯電防止処方（２点間表面抵抗値（印加電圧：直流５００Ｖ）が１０１０Ω〜１０１４Ω）の材質、又は、導電性（２点間表面抵抗値（印加電圧：直流５００Ｖ）が１００Ω〜１０６Ω）の材質のものを使用することで、静電気の帯電が防止されパチンコ遊技盤３０を構成する電子機器の破損が防止されることから望ましい。
また、包装容器１は被せたりネスティングするに要する方向性があるので、作業時に方向が瞬時に明確となるように、例えば側壁中央より色相を２色に色分けしたり、方向指示ピースを形成したり付設することも考えられる。
【００２３】
また上記実施形態では包装容器に一体に係合溝が形成されるようにしたが、図１１に例示したように係合溝１２を形成したブロック３２を包装容器とは別体に形成し、このようなブロックが該包装容器内底面に着脱自在に設けられるようにしてもよく、その場合はパチンコ遊技盤の寸法に合わせて形状，寸法等の異なるものを予め複数種類を用意しておくことにより、パチンコ遊技盤のサイズ違いのものへの対処が一層容易になる。
【００２４】
また上記実施形態はパチンコ遊技盤について説明したが、本発明の運搬用包装容器は、釘が打たれておらずベニヤ板に例えば液晶または回転ドラムだけを設けたような遊技盤を運搬する際にも使用できる。
【００２５】
【発明の効果】
以上説明したように本発明の運搬用包装容器は、開口縁に凸条と凹溝とを点対称位置に形成し、内部側面又は底面に係合溝を形成してなるプラスチック製の包装容器であって、パチンコ遊技盤の側縁を前記係合溝に差し込むことで該パチンコ遊技盤の半部を該包装容器内に収容し、これと同形状の包装容器を該パチンコ遊技盤の半部に被せることで両包装容器の凸条と凹溝とを互いに嵌合させるとともに該パチンコ遊技盤の側縁を該包装容器の係合溝に差し込むことにより、該パチンコ遊技盤が両包装容器内にて起立状態に支持されるようにしたので、遊技盤が輸送中の振動，衝撃等から保護され、緩衝材を使用せずとも破損のおそれなく安全に運搬できるので、資源の無駄をなくすとともに輸送コストを軽減できる有益な効果がある。
【図面の簡単な説明】
【図１】本発明に係るパチンコ遊技盤の運搬用包装容器の実施形態を示す斜視図。
【図２】図１の運搬用包装容器のＡ−Ａ線断面図。
【図３】図１の運搬用包装容器のＢ−Ｂ線断面図。
【図４】図１の運搬用包装容器の平面図。
【図５】本発明に係るパチンコ遊技盤の運搬用包装容器の使用状態を示した斜視図。
【図６】本発明に係るパチンコ遊技盤の運搬用包装容器の使用状態を示した縦断面図。
【図７】本発明に係るパチンコ遊技盤の運搬用包装容器の使用状態を示した部分拡大斜視図。
【図８】本発明に係るパチンコ遊技盤の運搬用包装容器の重ね合わせ時の縦断面図。
【図９】本発明に係るパチンコ遊技盤の運搬用包装容器の他の実施形態を示す内方突出部の断面図。
【図１０】本発明に係るパチンコ遊技盤の運搬用包装容器の他の実施形態を示す底部の断面図。
【図１１】本発明に係るパチンコ遊技盤の運搬用包装容器の他の実施形態を示すブロックの斜視図。
【符号の説明】
１，１’　　　包装容器
２　　　　　　底壁
３ａ〜３ｄ　　側壁
４　　　　　　凸条
５　　　　　　凹溝
１１　　　　　内方突出部
１２　　　　　係合溝
１３　　　　　緩衝材
１５　　　　　凸起
１６　　　　　凹窪
１８　　　　　軸受片
２２　　　　　バックル（掛止手段）
３０　　　　　パチンコ遊技盤
３２　　　　　ブロック
【図１】
2004097641.tif 000003
【図２】
2004097641.tif 000004
【図３】
2004097641.tif 000005
【図４】
2004097641.tif 000006
【図５】
2004097641.tif 000007
【図６】
2004097641.tif 000008
【図７】
2004097641.tif 000009
【図８】
2004097641.tif 000010
【図９】
2004097641.tif 000011
【図１０】
2004097641.tif 000012
【図１１】
2004097641.tif 000013